(57)【要約】【課題】ディスク装置のクランプ構造の動作不良を抑止する。【解決手段】ディスク装置１は、ディスクＤをターンテーブル５に押し付けるクランプレバー１１と、クランプレバー１１が上方に回動しているとき、クランプレバー１１を保持するカムアーム１２と、カムアーム１２によるクランプレバー１１の保持の有無を切り替えるスライダ１３と、クランプレバー下降ばね１５による下方への付勢力がカムアーム１２を介してスライダ１３に作用しないようシャシ２のヒンジ部４によって回動可能に支持される。【選択図】図１
2010067328.tif 000002
【特許請求の範囲】
【請求項１】
ディスクをディスク装置の読取装置側に付勢して保持するクランプ部と、
少なくとも前記ディスクに対する前記クランプ部の付勢が行われないときに当該クランプ部の位置を保持する保持部と、
前記保持部による前記クランプ部の保持の有無を切り替える作動部と、
前記クランプ部の付勢力が前記保持部を介して前記作動部に作用しないよう前記保持部を支持する支持部と、
を備えることを特徴とするディスク装置のクランプ構造。
【請求項２】
前記保持部は、ディスク装置のシャシに回動可能に支持された回動部材を有することを特徴とする請求項１に記載のディスク装置のクランプ構造。
【請求項３】
前記作動部は、前記回動部材と係合して当該回動部材の回動角度を変更するよう動作するガイド部材を有することを特徴とする請求項２に記載のディスク装置のクランプ構造。
【請求項４】
前記ガイド部材は、当該ガイド部材の稼動方向に対して垂直に設けられた壁面部を介して前記回動部材と係合することを特徴とする請求項３に記載のディスク装置のクランプ構造。
【請求項５】
前記ガイド部材は、当該ガイド部材の稼動方向に沿った溝と当該稼動方向に直交する方向に沿った溝とが連続するＬ字形の溝を介して前記回動部材と係合することを特徴とする請求項４に記載のディスク装置のクランプ構造。
【発明の詳細な説明】
【技術分野】
【０００１】
本発明は、ディスク装置のクランプ構造に関する。
【背景技術】
【０００２】
ディスク装置に挿入されたコンパクトディスクやＤＶＤ、ブルーレイディスク等の読取媒体（以下、単にディスクと称する）を保持するための構造として、ディスク装置のターンテーブルにディスクを押し付けて保持させるクランプ構造が知られている（例えば特許文献１）。
【０００３】
図３に従来のディスク装置のクランプ構造１００の斜視図を示す。
ディスク装置のクランプ構造１００は、クランプレバー１１１を有する。クランプレバー１１１は、ターンテーブル（図示略）の上方でその先端部が上下方向に回動する。クランプレバー１１１は、ばね１１２によって下方へと引張られており、回動軸１１１ａを支点として下方へと回動するよう設けられている。クランプレバー１１１は、クランプレバー１１１と一体に設けられた係止部１１１ｂがスライダ１１３の上辺に係止されており、その回動角度を維持される。
【０００４】
スライダ１１３は、ディスク装置に対するディスクの挿入方向に沿って稼動する板状の部材である。スライダ１１３は、その内側に摺動部ピン１０２を擁するガイド溝１２４を有する。摺動部ピン１０２はディスク装置のシャシと一体に設けられたピンであり、ガイド溝１２４との協働によりスライダ１１３の稼動方向を案内する。スライダ１１３の稼動時、ガイド溝１２４の内壁と摺動部ピン１０２とは摺動する。
スライダ１１３は、その下面を支持部材１０３によって支持される。スライダ１１３の稼動時、スライダ１１３と支持部材１０３とは摺動する。
【０００５】
スライダ１１３は、その上辺に、クランプレバー案内部１２０を有する。クランプレバー案内部１２０は、傾斜部１２１を有する。クランプレバー案内部１２０は、傾斜部１２１を挟んで、上下方向の高さが異なる上辺部１２２，１２３を有する。以下の説明及び図３、図４（ａ）、（ｂ）において、傾斜部１２１を挟んで上下方向の高さが高く設けられた上辺部を上辺部１２２、低く設けられた上辺部を上辺部１２３とする。
【０００６】
図４に、クランプレバー１１１の回動動作の仕組みを示す。図４（ａ）はクランプレバー１１１の上昇時、図４（ｂ）はクランプレバー１１１の下降時を示す。
クランプレバー１１１の回動は、スライダ１１３の稼動により行われる。具体的には、図４（ａ）に示すように、上辺部１２２に係止部１１１ｂが係止される場合、クランプレバーは上昇し、図４（ｂ）に示すように、上辺部１２３に係止部１１１ｂが係止される場合、クランプレバーは下降する。即ち、スライダ１１３の稼動により、クランプレバー１１１の係止部１１１ｂが傾斜部１２１に沿って昇降することでクランプレバー１１１は回動する。
【０００７】
ディスクのクランプ構造１００によるディスクの保持、非保持の切り替えは、クランプレバー１１１の昇降と対応する。具体的には、クランプレバー１１１が上昇している場合、ディスクはターンテーブル１０２に押し付けられないので保持されず、クランプレバー１１１が下降している場合、ディスクはターンテーブル１０２に押し付けられて保持される。
【特許文献１】特開平０７−１６１１０９号公報
【発明の開示】
【発明が解決しようとする課題】
【０００８】
しかしながら、従来のディスク装置のクランプ機構１００は、ディスクの保持または開放動作について動作不良を生じることがあった。即ち、クランプレバー１１１の係止部１１１ｂを介してばね１１２による下向きの付勢力がスライダ１１３に付加されることにより、係止部１１１ｂとクランプレバー案内部１２０、スライダ１１３の下面と支持部材、ガイド溝１２４と摺動部ピン１０２との間等の各摺動面に強い摩擦が生じ、スライダ１１３の動作を阻害してクランプレバー１１１の回動動作を妨げるからである。
【０００９】
本発明は、ディスク装置のクランプ構造の動作不良を抑止することを目的とする。
【課題を解決するための手段】
【００１０】
請求項１記載の発明は、ディスクをディスク装置の読取装置側に付勢して保持するクランプ部と、少なくとも前記ディスクに対する前記クランプ部の付勢が行われないときに当該クランプ部の位置を保持する保持部と、前記保持部による前記クランプ部の保持の有無を切り替える作動部と、前記クランプ部の付勢力が前記保持部を介して前記作動部に作用しないよう前記保持部を支持する支持部と、を備えることを特徴とするディスク装置のクランプ構造である。
【００１１】
請求項２記載の発明は、請求項１に記載のディスク装置のクランプ構造において、前記保持部は、ディスク装置のシャシに回動可能に支持された回動部材を有することを特徴とする。
【００１２】
請求項３記載の発明は、請求項２に記載のディスク装置のクランプ構造において、前記作動部は、前記回動部材と係合して当該回動部材の回動角度を変更するよう動作するガイド部材を有することを特徴とする。
【００１３】
請求項４記載の発明は、請求項３に記載のディスク装置のクランプ構造において、前記ガイド部材は、当該ガイド部材の稼動方向に対して垂直に設けられた壁面部を介して前記回動部材と係合することを特徴とする。
【００１４】
請求項５記載の発明は、請求項４に記載のディスク装置のクランプ構造において、前記ガイド部材は、当該ガイド部材の稼動方向に沿った溝と当該稼動方向に直交する方向に沿った溝とが連続するＬ字形の溝を介して前記回動部材と係合することを特徴とする。
【発明の効果】
【００１５】
本発明によれば、ディスク装置のクランプ構造の動作不良を抑止できる。
【発明を実施するための最良の形態】
【００１６】
以下、図を参照して本発明の実施の形態を詳細に説明する。
図１に、本発明の実施形態によるディスク装置のクランプ構造１０の構成を示す。
ディスク装置のクランプ構造１０は、クランプレバー１１と、カムアーム１２と、スライダ１３と、を備える。
【００１７】
クランプレバー１１は、シャシ２に設けられた回動軸３によって上下に回動可能に支持される。
クランプレバー１１は、その先端部にクランパ１４を有する。クランプレバー１１は、下降時にクランパ１４を介してディスク読取装置のターンテーブル５（図２参照）にディスクＤを押し付けるよう付勢してディスクを保持する。図１に示すクランプレバー１１の回動角度は、上昇時の角度である。
【００１８】
カムアーム１２は、回動支持軸１２ｅによってシャシ２のヒンジ部４に回動可能に支持される。カムアーム１２は、第１の支持面１２ａ及び第２の支持面１２ｄがクランプレバー１１の下面部と当接する。カムアーム１２は、クランプレバー１１を下方から支持することでクランプレバー１１の回動角度を保持する。
【００１９】
スライダ１３は、ディスク装置内でディスクの挿入・排出方向に沿って稼動可能に設けられた板状の部材であり、その稼動によってカムアーム１２によるクランプレバー１１の保持の有無を切り替える。スライダ１３の稼動は、図示しないモータ等の駆動部による。スライダ１３は、シャシ２等に設けられたガイド部（図示略）によりその稼動方向をガイドされる。即ち、スライダ１３は当該ガイド部と摺動する。
スライダ１３は、その内側にカム溝２１を有する。カム溝２１は、スライダ１３の盤面及びディスクの挿入・排出方向に沿った溝と、スライダ１３の盤面及び上下方向に沿った溝と、が連結するＬ字形の溝である。カム溝２１は、その内側にカムアームピン１２ｂを擁する。
【００２０】
カムアームピン１２ｂは、カムアーム１２の回動腕１２ｃと一体に形成され、回動腕１２ｃから突出するよう設けられた突起部である。以下、クランプレバー１１及びカムアーム１２の回動角度の維持について説明する。
【００２１】
クランプレバー１１は、クランプレバー１１とシャシ２との間に介在するクランプレバー下降ばね１５によって下方に引張られる。従って、カムアーム１２は、支持面１２ａ及びクランプレバー１１を介してクランプレバー下降ばね１５による下向きの押圧力を受けるが、第１の支持面１２ａは回動支持軸１２ｅとの位置関係からクランプレバー下降バネ１５による力がカムアーム１２自体に回動力を生じさせないため、カムアーム１２は、カムアームピン１２ｂがカム溝２１の上下の内縁部２２，２３と接触しない回動角度に維持される。
【００２２】
次に、クランプレバー１１が下降する仕組みについて説明する。
図２に、クランプレバー１１が下降している場合のディスク装置のクランプ構造１０を示す。
スライダ１３が稼動して、カムアームピン１２ｂが側壁２４と当接すると、カムアームピン１２ｂはスライダ１３の稼動に伴ってスライダ１３の稼動方向（図１，２の左方向）へと誘導される。カムアームピン１２ｂが誘導されることでカムアーム１２は回動支持軸１２ｅを中心に回動し、クランプレバー１１の下面と支持面１２ａとの当接が解消される。このとき、クランプレバー１１は、クランプレバー下降ばね１５の引張り力によって下方へと回動する。即ち、カムアーム１２は、支持面１２ａを介してクランプレバー１１の下面と当接している場合にクランプレバー１１を上昇位置で支持し、クランプレバー１１の下面と支持面１２ａとの当接が解消された場合にクランプレバー１１を下降させるよう設けられる。
【００２３】
側壁２４は、スライダ１３の稼動方向に対して垂直に設けられる。スライダ１３の稼動に伴い側壁２４がカムアームピン１２ｂを押すとき、カムアームピン１２ｂはスライダ１３の稼動方向に動き、カムアーム１２は図１，２の右方向に回動する。これにより、クランプレバー１１と第１の支持面１２ａとの当接が解消され、クランプレバー１１が下降する。クランプレバー１１は下降中に第２の支持面１２ｄと当接する。
【００２４】
クランプレバー１１の下降により、図２に示すように、クランパ１４はディスクＤをターンテーブル５に押し付けて保持する。このとき、クランプレバー１１と第２の支持面１２ｄとの間には一定のクリアランスが保たれている。
【００２５】
クランプレバー１１の下降後、クランプレバー１１を上昇させる場合、スライダ１３はクランプレバー１１の下降時と逆方向に稼動する。このとき、カム溝２１の側壁２５がカムアームピン１２ｂを押してカムアーム１２を上方へと回動させ、図１に示すクランプレバー１１及びカムアーム１２の回動角度へと誘導する。側壁２５は、側壁２４の対面に位置し、スライダ１３の稼動方向に対して垂直に設けられる。従って、スライダ１３の稼動に伴い側壁２５がカムアームピン１２ｂを押すとき、カムアームピン１２ｂはスライダ１３の稼動方向に動く。
【００２６】
なお、図１及び図２ならびに前述の説明は、ディスク装置のクランプ構造１０のみについて記載しているが、ディスク装置のクランプ構造１０はディスク装置の他の部分と連動してもよい。例えば、図３に示すスライダ１１３のように、ディスク搬送ローラ３１の位置変更を行うための溝３２をスライダ１３に設けてもよい。この場合、スライダ１３の稼動により、クランプレバー１１の回動動作とディスク搬送ローラ１３の位置変更動作とを同時に行える。
【００２７】
上述の実施形態によれば、クランプレバー下降ばね１５の引張り力による下方への付勢力は、シャシ２のヒンジ部４により支持されるためスライダ１３に作用しない。従って、スライダ１３は良好に稼動することができるので、ディスク装置のクランプ構造１０は、カムアーム１２の回動動作を介したクランプレバー１１の回動動作を良好に行える。即ち、従来のディスク装置のクランプ構造の問題点であった、ディスクの保持または開放動作の動作不良を効果的に抑止できる。
【００２８】
さらに、カムアーム１２の回動角度の変化により、クランプレバー１１の上昇時の回動角度の維持の有無を切り替えられる。即ち、簡易な機械的動作により、クランプレバー１１の上昇と下降を行うことができ、ディスク装置のクランプ構造を簡素化できる。
加えて、カムアーム１２はディスク装置のシャシ２に回動可能に支持されるので、クランプレバー１１の回動角度の維持において、シャシ２の強度による支持力を利用することができ、クランプレバー１１の支持を安定させられる。
【００２９】
さらに、係止部１７を設けた場合、係止部１７によりカムアーム１２の回動角度が維持されるので、クランプレバー１１の上昇時の回動角度の維持はより安定する。
【００３０】
さらに、カムアーム１２はカムアームピン１２ｂを介してスライダ１３のカム溝２１と係合し、スライダ１３の稼動によって回動する。従って、ディスク装置の他の稼動部、例えば図３に示すディスク搬送ローラ３１の位置変更を行うための駆動部と、クランプレバー１１の回動動作のための駆動部とを一体に設けることができるので、部品点数の低減によるコスト低下や、ディスク装置のコンパクト化等の優れた効果を得られる。
【００３１】
さらに、スライダ１３の稼動方向に対して垂直に設けられた側壁２４がカムアームピン１２ｂを押してカムアーム１２を回動させるので、カムアームピン１２ｂの応力はスライダ１３の稼動方向と逆方向に働く。即ち、カムアームピン１２ｂの応力ベクトルは上下方向に生じず、スライダ１３は上下方向のベクトルの力を受けない。従って、スライダ１３が上下方向に付勢されることによりスライダ１３とガイド部とが強い摩擦を生じてスライダ１３の稼動が阻害される、等の問題は生じない。即ち、スライダ１３はより良好に稼動できるので、クランプレバー１１の回動動作がより良好に行える。
加えて、スライダ１３の稼動方向に対して垂直に設けられた側壁２５がカムアームピン１２ｂを押してカムアーム１２を回動させるので、カムアームピン１２ｂの応力はスライダ１３の稼動方向と逆方向に働く。従って、前述と同様、スライダ１３はより良好に稼動できるので、クランプレバー１１の回動動作がより良好に行える。
【００３２】
さらに、スライダ１３はＬ字形のカム溝２１を有し、上下方向即ちカムアーム１２の稼動方向に対して垂直に設けられた溝の側壁２４及び側壁２５を介してカムアームピン１２ｂを押してカムアーム１２を回動させる。従って、クランプレバー１１の上昇動作時及び下降動作時の双方について、カムアームピン１２ｂの応力ベクトルは上下方向に生じず、スライダ１３は上下方向のベクトルの力を受けず、スライダ１３はより良好に稼動できるので、クランプレバー１１の回動動作がより良好に行える。
【００３３】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３４】
例えば、カム溝２１は、Ｌ字形に限らず、傾斜によりカムアームピン１２ｂをガイドしてカムアームピン１２ｂの上下位置を変更するようにしてもよい。
【図面の簡単な説明】
【００３５】
【図１】本発明の実施形態によるディスク装置のクランプ構造の構成図である。
【図２】クランプレバーが下降している場合のディスク装置のクランプ構造を示す図である。
【図３】従来のディスク装置のクランプ構造を示す斜視図である。
【図４】従来のクランプレバーの回動動作の仕組みを示す図である。図４（ａ）はクランプレバーの上昇時、図４（ｂ）はクランプレバーの下降時を示す。
【符号の説明】
【００３６】
１１    クランプレバー
１２    カムアーム
１３    スライダ
１４    クランパ
１５    クランプレバー下降ばね
１７    係止部
２１    カム溝
【図１】
2010067328.tif 000003
【図２】
2010067328.tif 000004
【図３】
2010067328.tif 000005
【図４】
2010067328.tif 000006